(57)【要約】【課題】水槽の上面に蓋を設置することなく、エアーストーンから発生する気泡の破裂に基づく水の飛散を防止することが可能な水槽用備品及び観賞魚水槽用ポンプを提供する。【解決手段】水槽用ポンプ１は、水中に配置されたエアーストーン５を収納する筐体３と、筐体３に形成されエアーストーン５に接続されたチューブ７を挿通するチューブ挿通孔１１と、筐体３におけるエアーストーン５が収納された空間に水を流入させる開口部１３とを備える。【選択図】  図１
0003128595.tif 000002
【実用新案登録請求の範囲】
【請求項１】
水中に配置されたエアーストーンを収納する筐体と、
前記筐体に形成され前記エアーストーンに接続されたチューブを挿通するチューブ挿通孔と、
前記筐体における前記エアーストーンが収納された空間に水を流入させる開口部とを備えること、
を特徴とする水槽用備品。
【請求項２】
前記筐体を水槽の内側壁面に固定する固定部材を備えること、
を特徴とする請求項１記載の水槽用備品。
【請求項３】
空気を搬送するチューブの先端にエアーストーンが固定された観賞魚水槽用ポンプにおいて、
水中に配置されたエアーストーンを収納する筐体と、
前記筐体に形成され前記チューブを挿通するチューブ挿通孔と、
前記筐体における前記エアーストーンが収納された空間に水を流入させる開口部とを備え、
前記エアーストーンは、前記筐体における前記開口部近傍に配置されること、
を特徴とする観賞魚水槽用ポンプ。
【考案の詳細な説明】
【技術分野】
【０００１】
本考案は、水槽用備品及び観賞魚水槽用ポンプに関する。
【背景技術】
【０００２】
従来、観賞魚用の水槽内部の溶存酸素量を向上させる目的で設置されるエアーストーンは、エアーストーンが露出された状態で水槽内部に設置されていた。この様な場合、エアーストーンから排出された気泡は、水面に向けて上昇し、水面に達した瞬間に破裂する。そして、気泡が破裂すると周囲にある水は、破裂の衝撃によって周囲に飛散する。そして、水槽内の水が周囲に飛散すると、飛散した箇所に水垢、及び藻類を発生させる原因となる。また、特に、水槽内の水が海水等である場合には、水が飛散した箇所に塩ダレによる汚れを発生させてしまう。この様な汚れを防止する手段として、水槽の上面に蓋を配置する方法が一般的に用いられている。
【考案の開示】
【考案が解決しようとする課題】
【０００３】
しかしながら、水槽の上面に蓋を設置した場合、飛散した水は蓋に付着し、蓋に汚れを発生させることとなり好ましくない。また、水槽の上面に配置された蓋は、水槽の上部に固定された照明器具から照射される光を透過する必要があるが、飛散した水により蓋に汚れが付着した場合、光の透過性が損なわれ、水草や観賞魚の成長に悪影響を及ぼすこととなる。
【０００４】
そこで、本考案はこの様な実情に鑑みてなされたものであり、水槽の上面に蓋を設置することなく、エアーストーンから発生する気泡の破裂に基づく水の飛散を防止することが可能な水槽用備品及び観賞魚水槽用ポンプを提供することを目的とする。
【課題を解決するための手段】
【０００５】
上記課題を解決する為に、本考案にかかる水槽用備品は、水中に配置されたエアーストーンを収納する筐体と、前記筐体に形成され前記エアーストーンに接続されたチューブを挿通するチューブ挿通孔と、前記筐体における前記エアーストーンが収納された空間に水を流入させる開口部とを備えることを特徴としている。
【０００６】
この構成によれば、エアーストーンから発生した気泡が水面に到達して破裂した際に、飛散した水は、筐体の内部に飛び散り、水が外部に飛散することを防止することができる。また、エアーストーンから発生する気泡は浮上するにつれて徐々に広がって行くが、エアーストーンは筐体内部に収納されている為、気泡が筐体の外部に脱出してしまうことを防止することができる。
【０００７】
また、本考案にかかる観賞魚水槽用ポンプは、空気を搬送するチューブの先端にエアーストーンが固定された観賞魚水槽用ポンプにおいて、水中に配置されたエアーストーンを収納する筐体と、前記筐体に形成され前記チューブを挿通するチューブ挿通孔と、前記筐体における前記エアーストーンが収納された空間に水を流入させる開口部とを備え、前記エアーストーンは、前記筐体における前記開口部近傍に配置されることを特徴としている。
【０００８】
この構成によれば、エアーストーンは、筐体に収納され、且つ、水を筐体内部に流入させる開口部近傍に配置されている為、エアーストーンから発生した気泡によって、エアレーションを発生させることができる。
【考案の効果】
【０００９】
この様に本考案によれば、水槽の上面に蓋を設置することなく、エアーストーンから発生する気泡の破裂に基づく水の飛散を防止することができる。
【００１０】
また、本考案にかかる観賞魚水槽用ポンプによれば、上記水槽用備品による効果に加え、水槽内部でエアレーションを発生させることができる為、水槽内の水の溶存酸素量を適切な量に保つことができる。
【考案を実施するための最良の形態】
【００１１】
以下、本考案を適用した具体的な実施の形態について図面を参照しながら詳細に説明する。
【００１２】
図１に示す様に、実施の形態にかかる水槽用ポンプ１は、水の飛散を防止する筐体３と、筐体３内部に収納されるエアーストーン５と、エアーストーン５に接続されたチューブ７と、チューブ７に接続されたポンプ９とを備える。
【００１３】
筐体３は、エアーストーン５を収納すると共に、エアーストーン５から発生した気泡が水面で破裂した際に飛散する水が外部に脱出することを防止する。この様な筐体３は、例えば透明なプラスチック系材料を、底面が開口した箱型に形成して成る。筐体３の上面には、チューブ７を挿通する挿通孔１１が形成されている。筐体３の開口した底面は、水槽内部の水を、筐体３内部に流入させる為の流入口１３である。そして、エアストーン５は、エアストーン５の下端部が、流入口１３の開口部と一致する様に、筐体３内部に配置される。本実施の形態では、流入口１３は、エアレーションの効率を向上させるために筐体３の底面に形成されているものとして詳細な説明を行うが、流入口１３は、必ずしも筐体３の底面に形成されている必要はない。
【００１４】
筐体３の大きさとしては、筐体３内部でエアレーションを発生させることが可能な大きさであれば良く、エアーストーン５の周囲に数センチ程度のスペースを設ける程度の大きさで足りる。
【００１５】
この様な筐体３は、図２に示す様に、吸盤等の固定部材１５によって水槽Ｓの内部壁面Ｗに固定される。具体的には、筐体３は、水中に配置されたエアーストーンを内部空間に収納する様に内部壁面Ｗに固定される。さらに筐体３は、その上部が水面Ｆに露出する様に、且つ、下部に形成された流入口１３が水中に位置する様に、内部壁面Ｗに固定される。そして、この様に水槽Ｓ内部に配置された筐体３の内部の上部近傍には、筐体３及び水面Ｆによって密閉空間が形成される。そして、エアーストーン５から発生した気泡Ｂは、浮上するに従って徐々に拡散する。そして、気泡Ｂが、水面Ｆに到達すると破裂するが、気泡Ｂの破裂によって飛散する水は、筐体３の内部壁面に付着し、外部に飛散することはない。
【００１６】
また、同図に示す様に、エアーストーン５は、筐体３の内部に収納されている為、エアーストーンから発生した気泡Ｂが筐体３の外部に脱出してしまうことを防止することができる。また、エアーストーン５は、流入口１３近傍に配置されている為、エアーストーン５から発生した気泡Ｂが矢印Ｘ方向に従って上昇すると、筐体３内部の水は矢印Ｙ方向に下降し、筐体３内部でエアレーションを発生させることができる。これにより、水槽Ｓ内部の溶存酸素量を適切に保つことができる。具体的には、筐体３内部における気泡Ｂには、水の流れによる矢印Ｘ方向（上方向）への圧力Ｐ１と、気泡Ｂ自身の浮力による矢印Ｙ方向（下方向）への圧力Ｐ２との２種類の圧力が加わることとなる。そして、気泡Ｂに対して、圧力Ｐ２の他に圧力Ｐ１を加えることによって、気泡Ｂに加わる圧力Ｐ２を低減させることができる。そして、気泡Ｂに加わる圧力Ｐ２を低減させることで、気泡Ｂは、水流によって攪拌され、筐体３内部で細かい上下運動を行い、気泡Ｂがエアストーン５から水面Ｆに達するまでの時間は、圧力Ｐ２のみによって上昇する時間と比較して長くなる。すなわち、筐体３内部でエアレーションを発生させることで、気泡Ｂが水内部に滞在する時間を、エアレーションが発生していないときの滞在時間と比較して長くすることができる。そして、水槽用ポンプ１は、ポンプ９から供給される空気量を増やすことなく、気泡Ｂが水内部に滞在する時間を長くさせることで、水槽Ｓ内部の溶存酸素量を上昇させることができる。
【００１７】
この様に、飛散した水の飛び散る範囲を、筐体３の内部に収めることによって、水槽Ｓの上面に蓋を配置する必要が無くなる。また、筐体３の大きさが蓋に比べて小さい為、筐体３内部の清掃を容易に行うことができる。また、筐体３は、飛散した水が飛び散ることを防止することができれば良い為、プラスチック等の軽量な材質で形成することが可能となり、蓋の取り扱いと比較して容易に取り扱うことができる。
【００１８】
本考案は、上述の実施の形態に限られるものではなく、各構成は、本考案の趣旨を逸脱しない範囲で適宜変更可能である。
【００１９】
例えば、上述の実施の形態では、筐体３の水平断面の形状を長方形であるものとして詳細な説明を行ったが、かかる形状は図３乃至図６に示す様な形状に変更することができる。
【００２０】
図３に示す様に、筐体の断面形状を直角三角形とすることによって、筐体を水槽のコーナーに配置することができ、水槽内部の空間を有効利用することができる。
【００２１】
また、図４乃至図６に示す様に、筐体の断面形状を角部が切り落とされた長方形、半円形、又は円形とすることによって、水槽の美観を向上させることができる。
【図面の簡単な説明】
【００２２】
【図１】本考案の実施の形態として示す水槽用ポンプの斜視図である。
【図２】同水槽用ポンプの断面図である。
【図３】同水槽用ポンプの変形例である。
【図４】同水槽用ポンプの変形例である。
【図５】同水槽用ポンプの変形例である。
【図６】同水槽用ポンプの変形例である。
【符号の説明】
【００２３】
１    水槽用ポンプ
３    筐体
５    エアーストーン
７    チューブ
９    ポンプ
１１    挿通孔
１３    流入口
１５    固定部材
Ｂ    気泡
Ｆ    水面
Ｓ    水槽
Ｗ    内部壁面
【図１】
0003128595.tif 000003
【図２】
0003128595.tif 000004
【図３】
0003128595.tif 000005
【図４】
0003128595.tif 000006
【図５】
0003128595.tif 000007
【図６】
0003128595.tif 000008